(57)【要約】【課題】遊技盤の後面各部および裏セット盤の前面各部に対する保守点検や清掃作業などを容易に行える裏セット盤の開放保持機構を提供する。【解決手段】固定保持用の外枠１０に前方に横開き開閉可能に組み付けられた前枠２０と、前枠に設けられた収容枠に収容保持される遊技盤３０と、前枠の後方に組み付けられる裏セット盤４０とを備えた遊技機において、裏セット盤４０は裏セット盤ヒンジ機構６０により前枠２０の後方に横開き開閉および開放された状態で前枠方向にスライド移動が可能に組み付けられ、外枠１０は裏セット盤４０が外枠方向に開放されたときに裏セット盤４０の後部を収容可能に形成される。裏セット盤および外枠には、裏セット盤４０が外枠内に収容された開放姿勢で裏セット盤４０を仮止めする係合連結構造７０が設けられ裏セット盤の開放保持機構が構成される。【選択図】  図４
2004357857.tif 000002
【特許請求の範囲】
【請求項１】
固定保持用の外枠と、前記外枠に互いの一側縁側に設けられた前枠ヒンジ機構を介して前方に横開き開閉可能に組み付けられた開閉搭載用の前枠と、前面に遊技領域を有し前記前枠に設けられた収容枠に前記前枠の後方から収容保持される遊技盤と、前記前枠の後方に組み付けられ遊技提供時に前記遊技盤の後面側を覆って閉止保持される裏セット盤とを備えた遊技機において、
前記裏セット盤は、前記前枠ヒンジ機構と同じ一側縁側の前記前枠および前記裏セット盤に設けられた前枠側ヒンジ部材と裏セット盤側ヒンジ部材とからなる裏セット盤ヒンジ機構により、前記前枠の後方に横開き開閉および開放された状態で前記前枠方向にスライド移動が可能に組み付けられ、
前記外枠は、前記裏セット盤が前記前枠の後方に開放され前記前枠方向にスライド移動された状態で裏セット盤がさらに外枠方向に開放されたときに、当該裏セット盤の後面側を収容可能に形成され、
前記裏セット盤および前記外枠には、前記裏セット盤の後面側が前記外枠の枠内に収容された開放姿勢で前記裏セット盤を仮止めする係合連結構造が設けられていることを特徴とする裏セット盤の開放保持機構。
【発明の詳細な説明】
【０００１】
【発明の属する技術分野】
本発明は、固定保持用の外枠に前方に横開き開閉可能に組み付けられた前枠と、この前枠に設けられた収容枠に前枠の後方から収容保持される遊技盤と、前枠の後方に組み付けられ遊技提供時に前記遊技盤の後面側を覆って閉止保持される裏セット盤とを備えた遊技機に関し、なお詳細には裏セット盤を前枠後方に開放させた姿勢で保持させる裏セット盤の開放保持機構に関する。
【０００２】
【従来の技術】
上記のような外枠、前枠、遊技盤および裏セット盤を備えた遊技機として、パチンコ機やアレンジボール機、雀球機などが広く知られている。この種の遊技機の代表例とされるパチンコ機では、遊技施設の遊技島に固定される固定保持用の外枠に、開閉搭載用の前枠が前枠ヒンジ機構を介して前方に横開き開閉可能に取り付けられ、この前枠に設けられた収容枠に遊技盤が着脱可能に収容保持されて、遊技盤の前方を覆うガラス窓を通して遊技盤前面の遊技領域を遊技者に臨ませている。なお遊技盤の着脱形態には、遊技盤を前枠の前方から着脱する遊技盤前方着脱と、前枠の後方から着脱する遊技盤後方着脱の二つの形態があり、いずれかの形態が採用されている。遊技盤の後方には、遊技盤から排出される遊技済み球を処理する処理機構や、入賞状態に応じて遊技球を払い出す賞球機構等を備えた裏セット盤（裏機構盤とも称される）が組み付けられ、常には遊技盤の後面側を覆って閉止保持されている。
【０００３】
ここで、遊技盤の後面側には入賞球を検出する入賞検出器や電動入賞具を開閉させる電磁石、大入賞口を開閉させるソレノイドなど各種の電気部品や可動部品があり、裏セット盤の前面側には遊技済み球の処理通路や球抜き通路など複数の球通路が形成されている。このため、上記した遊技盤の収容形態の如何に拘わらず、遊技盤の後面側および裏セット盤の前面側に対して保守点検や球通路の清掃作業を行う必要がある。また遊技盤後方脱着形態のパチンコ機では遊技盤の着脱を前枠の後面側から行う必要がある。このため、裏セット盤は前枠の後方に開閉可能に取り付けられるものが多く、一般的には、前枠ヒンジ機構と同じ一側縁（例えば左側縁）の上下に設けられた前枠側ヒンジ部材および裏セット盤側ヒンジ部材の軸ピンと軸孔との嵌合を利用した裏セット盤ヒンジ機構により着脱および横開き開閉が可能に組み付けられ、前枠を外枠の前方に開放した状態で裏セット盤を前枠の後方に開放して上記各部の保守点検や清掃作業を行えるように構成されている。
【０００４】
ところが、後方に開放された裏セット盤は、一側縁上下の裏セット盤ヒンジ機構により片持ち支持されて自由に揺動し得る状態であり、遊技島に微少な後傾角度姿勢で固定された外枠の設置傾き角度（一般に１度以下の後傾角度）により、辛うじて外枠側に付勢されているにすぎない。このため、遊技盤の後面側の保守作業中に閉鎖方向に揺動してきたり、裏セット盤の前面側の保守作業中に前後に揺動したりして煩わしいという問題があった。そこで、このような問題を解決するため、裏セット盤を開放したときに、開いた裏セット盤を開放状態に保持させる開放保持機構が提案されている（例えば、特許文献１を参照）。
【０００５】
【特許文献１】
特開２００２−２９２０６３号公報（第８〜１０頁、第１３，１４，１７〜１９図）
【０００６】
【発明が解決しようとする課題】
確かに、上記特許文献１に開示された裏セット盤の開放保持機構によれば、裏セット盤を開放状態に保持させることができ、従来問題とされた作業性を改善することができる。しかしながら、このような構成の開放保持機構では、裏セット盤を開放保持できる開き角は、前枠ヒンジ機構と裏セット盤ヒンジ機構との位置関係等により、一般に裏セット盤における反ヒンジ側の後面が側枠杆の前面に当接する開き角までに制限される。このため、遊技盤後方の作業領域は裏セット盤の厚さが厚いほど狭くなり、作業領域を拡大して欲しいという要望や、裏セット盤の厚さによらず確保して欲しいという要望があった。一方、前枠をさらに前方に開くことで前枠と裏セット盤との相対角度を増大させ、これにより作業領域を拡大できそうであるが、開放される側に隣接するパチンコ機の作業領域がその分減殺され、また斜めに入り組んだ作業領域となるため、却って作業性を悪化させてしまうという問題があった。
【０００７】
本発明は、上記のような従来技術の問題や開示技術に対する要望等に鑑みてなされたものであり、遊技盤後方の作業領域を拡大して遊技盤の後面各部および裏セット盤の前面各部に対する保守点検や清掃作業などを容易に行える裏セット盤の開放保持機構を提供することを目的とする。
【０００８】
【課題を解決するための手段】
上記目的達成のため、本発明は、固定保持用の外枠と、この外枠に互いの一側縁側に設けられた前枠ヒンジ機構を介して前方に横開き開閉可能に組み付けられた開閉搭載用の前枠と、前面に遊技領域を有し前枠に設けられた収容枠に前枠の後方から収容保持される遊技盤と、前枠の後方に組み付けられ遊技提供時に遊技盤の後面側を覆って閉止保持される裏セット盤とを備えた遊技機に関するものである。そのうえで、この遊技機における裏セット盤は、前枠ヒンジ機構と同じ一側縁側の前枠および裏セット盤に設けられた前枠側ヒンジ部材と裏セット盤側ヒンジ部材とからなる裏セット盤ヒンジ機構により前枠の後方に横開き開閉および開放された状態で前枠方向にスライド移動が可能に組み付けられ、外枠は、裏セット盤が前枠の後方に開放され前枠方向にスライド移動された状態で裏セット盤がさらに外枠方向に開放されたときに、当該裏セット盤の後面側を収容可能に形成される。そして、裏セット盤および外枠には、裏セット盤の後面側が外枠の枠内に収容された開放姿勢で裏セット盤を仮止めする係合連結構造が設けられて裏セット盤の開放保持機構が構成される。
【０００９】
このような構成の開放保持機構では、裏セット盤が裏セット盤ヒンジ機構により前枠の後方に横開き開閉および開放された状態で前枠方向にスライド移動可能に組み付けられる一方、外枠には裏セット盤が前枠方向にスライド移動された状態でさらに外枠方向に開放されたときに、裏セット盤の後面側を収容可能に形成されている。すなわち、裏セット盤は、裏セット盤を開放させて前枠方向にスライド移動させることで揺動端側（反ヒンジ側）の回動半径をスライド移動量に応じて減少させることができ、また外枠はスライド移動によって回動半径が削減された裏セット盤の後面と当接することなく受容して、裏セット盤の後面側を枠内に収容可能に形成されている。そして、後面側が外枠の枠内に収容された裏セット盤は、このようにして大きく開かれた開放姿勢で、例えば前述した開放保持機構に用いられた公知の掛止フック形態の係合連結構造や、後に実施例で詳細に説明する上下かみ合い形態の係合連結構造により仮止めされる。
【００１０】
従って、本発明に係る裏セット盤の開放保持機構によれば、裏セット盤の後面側を外枠の枠内に収容させて開放保持させることで、前枠に対する裏セット盤の開放角度を増大させて遊技盤後方の作業領域を拡大させることができ、これにより遊技盤の後面各部および裏セット盤の前面各部に対する保守点検や清掃作業、遊技盤の着脱作業などを容易に行うことができる。
【００１１】
【発明の実施の形態】
以下、本発明の好ましい実施形態について添付図面を参照しながら説明する。本発明を適用した遊技機の一例として、図１にパチンコ機ＰＭの正面図を、図２にパチンコ機ＰＭの背面図を、図３に外枠を取り外して裏セット盤を開放した状態におけるパチンコ機ＰＭの背面図を示しており、まずこれらの図面を参照してパチンコ機ＰＭの全体概要について説明する。
【００１２】
パチンコ機ＰＭは、外郭方形枠サイズに構成された固定保持用の外枠１０の前面側に、この外枠１０の前側開口面域に合わせた方形枠サイズに構成された開閉搭載用の前枠２０が互いの左側縁上下に配設された前枠ヒンジ機構３（３Ｕ，３Ｌ）で前方に横開き開閉および着脱が可能に取り付けられ、正面右側に設けられた施錠装置４を利用して常には外枠１０と係合された閉鎖状態に保持される。外枠１０は木材や樹脂材等で成形加工された上下の枠板１１，１４および左右の枠板１２，１３を直角に枠組み連結すると共に、各隅角部に補強金具を固定して構成される。
【００１３】
前枠２０の前面上部には、前枠２０の前側面域に合わせた方形状のガラス扉５および上球皿６が前方に横開き開閉および着脱可能に取り付けられ、その下方には遊技球を貯留する下球皿７および遊技球の発射操作を行う発射ハンドル８が取り付けられている。一方、前枠２０の後面側上部には、ガラス扉５の背後に位置して遊技盤３０を収容保持する収容枠２１が設けられている。なお、収容枠には遊技盤３０を前枠２０の前面側から収容する遊技盤前方着脱タイプの収容枠と後面側から収容する遊技盤後方着脱タイプの収容枠があり、また収容枠２１を前枠２０に一体に形成したタイプと別体で形成したタイプがあるが、本実施例では遊技盤３０を前枠２０の後面側から収容する遊技盤後方着脱形態の収容枠２１を前枠２０に一体成型したタイプを示す。
【００１４】
遊技盤３０は、基板となる化粧板（ベニヤとも称される）３１の前面側に内外の案内レールに囲まれて略円形の遊技領域ＰＡが区画形成され、その内側に多数本の遊技釘や各種入賞具３４、画像表示装置３５等が所定のゲージ設定に基づいて配設されている。遊技領域ＰＡの下端にはこの領域を入賞せずに落下した遊技球を化粧板３１の裏面側に排出するアウト口３７が設けられている。
【００１５】
遊技盤３０は、収容枠２１および遊技盤３０の背面視左側の上下に設けられた遊技盤ヒンジ機構５０（５０Ｕ，５０Ｌ）により前枠２０の後方に横開き開閉および着脱が可能に支持され、収容枠２１の周辺各部に設けられた複数の閉鎖クランプ２３，２３′により収容枠２１に収容された閉鎖状態で係止保持され、常には遊技盤前面の遊技領域ＰＡをガラス扉５を通して遊技者に臨ませている。前枠２０の後面側下部には、発射ハンドル８の回動操作に基づいて遊技球を発射する遊技球発射装置９が設けられている。
【００１６】
遊技盤３０の後方に位置して裏セット盤４０が配設される。裏セット盤４０には、上面開放の箱状に形成されて遊技球を貯留する球貯留タンク４１、球貯留タンク４１から供給された遊技球を整列させて流下させるタンクレール４２、整列待機された遊技球を所定の入賞状態に基づいて遊技球を払い出す球払出装置４４、球払出装置から払い出された遊技球を上下の球皿６，７に導く球払出通路４５などの賞球機構、および遊技盤３０から裏面側に排出されたアウト球およびセーフ球を遊技施設側の回収バケットに流下させる遊技済み球排出通路４６が設けられている。また裏セット盤４０の後面側には電源基盤や主制御基板、払出制御基板などの各種回路基盤が取り付けられ、これらの回路基板と電気・電子部品とが配線接続されて遊技可能に構成される。
【００１７】
裏セット盤４０は、前枠２０および裏セット盤４０の背面視右側の上下に設けられた裏セット盤ヒンジ機構６０（６０Ｕ，６０Ｌ）により前枠２０の後方に横開き開閉および着脱が可能に取り付けられ、裏セット盤４０の周縁各部に設けられた複数のロックレバー２５，２５…を利用して常には遊技盤３０の後面側を覆って閉鎖保持される。
【００１８】
さて、以上のように概要構成されるパチンコ機ＰＭにあって、遊技盤３０は、収容枠２１および遊技盤３０の背面視左側の上下に設けられた遊技盤ヒンジ機構５０によって前枠２０の後方に横開き開閉および着脱可能に支持されており、まずこの遊技盤ヒンジ機構５０について、図４〜図８を加えて参照しながら詳細に説明する。
【００１９】
ここで、図４は後述する開放保持機構により裏セット盤４０を開放保持した状態を示すパチンコ機ＰＭの平面図、図５は収容枠２１から遊技盤３０を取り外した状態で示す遊技盤ヒンジ機構５０の斜視図、図６は収容枠２１に遊技盤３０を収容させた状態の遊技盤ヒンジ機構５０の背面図、図７は上方のヒンジ機構におけるヒンジピンとヒンジ溝との係合状態を主として示す側断面図、図８は収容枠側ヒンジ金具に遊技盤側ヒンジ金具を係脱させるときの作用を主として示す平面図である。なお、以降の説明では、各機構を前枠２０の後方から見た状態を主として説明するため、図２および図３に示した背面視における左右方向をもって左右と称し説明する。
【００２０】
遊技盤ヒンジ機構５０は、上下一対のヒンジ機構５０Ｕ，５０Ｌからなり、それぞれ収容枠２１の左側縁の内側に設けられた収容枠側ヒンジ金具５１，５１、および化粧板３１の外周部に設けられた遊技盤側ヒンジ金具５２，５２のヒンジピン５１ｃ，５１ｃとヒンジ溝５２ｃ，５２ｃとの係脱により水平方向から着脱が可能、および係合状態で揺動開閉が可能なヒンジ機構である。
【００２１】
ここで、収容枠側ヒンジ金具５１は、上下に延びる帯板状の固定フランジ部５１ａと、この固定フランジ部の下部が直角に折り曲げられて後方に水平に延びるヒンジプレート部５１ｂとを有し、ヒンジプレート部５１ｂには、上方の収容枠ヒンジ金具では下方に向けて、下方の収容枠側ヒンジ金具では上方に向けて、相互に対向するようにヒンジピン５１ｃが突出してカシメ固着されている。固定フランジ部５１ａには、収容枠２１のヒンジ金具取付部に突出成形された位置決め突起５３ｄと嵌脱可能な位置決めピン孔５１ｄが形成されるとともに、その左右にサラ穴形態のネジ挿通孔が形成されている。
【００２２】
収容枠２１の左側縁側の上下には、上下の収容枠側ヒンジ金具５１，５１を止着するヒンジ金具取付部が形成されている。このうち、上方のヒンジ金具取付部では、段付き軸状に形成され位置決めピン穴５１ｄと嵌合して収容枠側ヒンジ金具５１を位置決め支持する位置決め突起５３ｄが前枠２０の前面側から後方に突出成形されるとともに、その左右には収容枠側ヒンジ金具のネジ挿通孔と位置整合し軸心にネジ受容孔を有する円筒状のネジボス５３ｂが突出成型されている。また、下方のヒンジ金具取付部では、支持面および前方の壁面が収容枠側ヒンジ金具５１の板厚に合わせて凹状に成型されるとともに、当該前方の壁面に位置決めピン穴５１ｄと嵌合して収容枠側ヒンジ金具５１を位置決めする位置決め突起５３ｄおよび収容枠側ヒンジ金具のネジ挿通孔と位置整合するネジ受容孔が形成されている。
【００２３】
収容枠側ヒンジ金具５１は、例えば板厚１．６ｍｍ程度の冷間圧延鋼板をプレス成型等により図示する所定形状に打ち抜きおよび曲げ成形し、ヒンジピン５１ｃをカシメ固着した後、ユニクロメッキ等の所要の表面処理を施して形成される。上下の収容枠側ヒンジ金具５１は、固定フランジ部５１ａに形成されたピン穴５１ｄをヒンジ金具取付部の位置決め突起５３ｄに嵌合させて位置決めし、左右のネジ挿通孔にサラ小ネジ５７を挿通させて前枠側のネジ受容孔に締め込むことにより、上下それぞれの設定位置に固定される。そして、このように収容枠側ヒンジ金具５１，５１が収容枠２１の上下設定位置に取着されると、上下のヒンジプレート部５１ｂ，５１ｂが所定間隔を隔てて上下平行に配設され、これらのヒンジプレート部から突出するヒンジピン５１ｃ，５１ｃが相対向して同一軸上に配設される。
【００２４】
一方、化粧板３１の外周部上下に取り付けられる遊技盤側ヒンジ金具５２，５２は、ともに側面視Ｌ字状をなし、これら上下の遊技盤側ヒンジ金具の中間に遊技盤に直交方向に立てた面に対して面対称（ミラーイメージ）に形成される。遊技盤側ヒンジ金具５２は、化粧板３１の背面に固定される固定フランジ部５２ａと、この固定フランジ部５２ａの上部または下部が直角に折り曲げられて化粧板３１の外周面と平行に延びるヒンジプレート５２ｂ、このヒンジプレート５２ｂに左右方向に延びて形成されたヒンジ溝５２ｃ、固定フランジ部５２ａに穿設されたネジ挿通孔などからなり、収容枠側ヒンジ金具５１と同様の鋼板を同様の加工手段により加工成形して形成される。
【００２５】
固定フランジ部５２ａおよびヒンジプレート部５２ｂは、遊技盤側ヒンジ金具５２が化粧板３１にネジ固定された取付状態において、平面視、化粧板３１から突出しないように形成されている。具体的には、遊技盤側ヒンジ金具５２の前後方向の外形寸法が化粧板３１の板厚と同一またはこれより幾分小さめに形成され、遊技盤側ヒンジ金具５２の前端角部には化粧板３１の前端角部と同様の円弧状の逃げ面５２ｒが形成されて、遊技盤側ヒンジ金具５２の取付状態において化粧板３１から前後および左右に突出しないようになっている。
【００２６】
ヒンジ溝５２ｃは、化粧板３１の左側面と整合して配設されるヒンジプレート部５２ｂの左端から化粧板３１の盤面に沿って内側に延びる左端開放のＵ字溝状をなし、その溝幅は、左端の開口部でヒンジピン５１ｃの直径よりも幾分大きく右端の軸受部でヒンジピン５１ｃの外径と同一半径の円弧状に形成されている。
【００２７】
一方、遊技盤３０の左側縁側の上下には、遊技盤側ヒンジ金具５２を収容する金具収容部３２が形成されている。すなわち、遊技盤の裏面には、遊技盤側ヒンジ金具の固定フランジ部５２ａを収容する固定収容部３２ａが形成され、遊技盤３０の外周角部には遊技盤側ヒンジ金具のヒンジプレート部５２ｂを収容するプレート収容部３２ｂが切り欠き成形されている。
【００２８】
このうち固定収容部３２ａは、遊技盤側ヒンジ金具５２の板厚と同一またはこれより幾分大きめの切り込み深さで、固定フランジ部５２ａの形状に合わせて化粧板３１の裏面をルータ加工することにより形成され、この固定収容部３２ａに固定フランジ部５２ａをネジ固定したときに、固定フランジ部５２ａを収容して遊技盤側ヒンジ金具５２が化粧板３１の裏面から後方に突出しないようになっている。また、このように化粧板３１の裏面側に固定収容部３２ａを設け、盤面と直交方向にねじ止めすることにより、積層合板の積層方向と直交方向にネジを打ち込んで遊技盤側ヒンジ金具５２を強固に固定することができる。なお、図示するナベ頭形態のネジ５８に代えてサラ頭形態のネジを用いることで化粧板３１の裏面側への突出量をさらに低減させることも可能である。
【００２９】
上下のプレート収容部３２ｂは、ヒンジプレート部５２ｂが配設される化粧板３１の上下の外周部を、上下ヒンジピン５１ｃの突出高さよりも幾分大きめの切り込み深さでルータ加工することにより形成され、遊技盤ヒンジ金具５２を配置したときにヒンジプレート部５２ｂをこのプレート収容部３２ｂ内に収容可能に構成されている。
【００３０】
遊技盤側ヒンジ金具５２は、ヒンジプレート部５２ｂの左端角部を化粧板３１の左端角部（遊技盤の外形輪郭線の交点）に合わせ、上下それぞれのヒンジプレート部５２ｂを化粧板３１の上面または下面に合わせて配設し、固定フランジ部５２ａの裏面側からネジ５８を固定収容部３２ａにねじ込むことにより、遊技盤３０の左角部上下に固定される。そしてこのように遊技盤側ヒンジ金具５２が取り付けられると、遊技盤側ヒンジ金具５２の固定フランジ部５２ａが固定収容部３２ａに収容され、ヒンジプレート部５２ｂがプレート収容部３２ｂに収容されて、遊技盤ヒンジ金具５２が遊技盤３０から前後および外周に突出しないように配設される。またヒンジプレート部５２ｂとプレート収容部３２ｂの切り欠き面との間に、ヒンジピン５１ｃの頭部を受容可能なピン収容空間が形成される。
【００３１】
こうして上下の遊技盤側ヒンジ金具５２，５２が化粧板３１に取着されると、上下のヒンジプレート部５２ｂ，５２ｂは、これらの外面間隔が上下の収容枠側ヒンジ金具におけるヒンジプレート部５１ｂ，５１ｂの内面間隔よりも幾分小さめの間隔を有して上下平行に配設され、上下のヒンジ溝５２ｃ，５２ｃが平面視において重なって配設される。
【００３２】
そして、このようにして上下の収容枠側ヒンジ金具５１，５１が収容枠２１の左側縁の内側に取り付けられ、上下の遊技盤側ヒンジ金具５２，５２が化粧板３１の外周部に取り付けられると、ヒンジピン５１ｃに対してヒンジ溝５２ｃを溝の延びる方向から係脱させることができ、係合状態では上下のヒンジピン５１ｃ，５１ｃが形成する揺動軸まわりに相対揺動させることができる。
【００３３】
このため、図８に実線および二点鎖線で示すように、収容枠２１に対して浅い相対角度位置から、収容枠２１に対してほぼ直交する相対角度位置までの広い角度範囲内の任意位置から遊技盤３０を挿抜して収容枠側ヒンジ金具５１と遊技盤側ヒンジ金具５２とを係脱させることができる。また、下側の収容枠側ヒンジ金具が収容枠２１の支持面に沿って配設され、下側の遊技盤側ヒンジ金具が化粧板３１の下面に沿って配設されているため、収容枠側ヒンジ金具５１と遊技盤側ヒンジ金具５２とを係脱させる際に、下側の遊技盤側ヒンジ金具を収容枠側ヒンジ金具近傍の支持面に載置して荷重を支持させた状態で、ヒンジピン５１ｃに対するヒンジ溝５２ｃの位置合わせを行うことができ、あとは収容枠側ヒンジ金具５１に向けて遊技盤３０を水平にスライド移動させることでヒンジピン５１ｃにヒンジ溝５２ｃを係合させることができる。このため、遊技盤３０の荷重を支持したままヒンジピンとピン孔との上下位置合わせを行うような微妙な作業を行う必要がなく、遊技盤３０を容易に装着することができる。
【００３４】
そして、ヒンジピン５１ｃにヒンジ溝５２ｃを係合させた後は、遊技盤３０を収容枠側ヒンジ金具５１の方向に軽く押圧してヒンジピンの軸部とヒンジ溝の軸受部とを係合させ他端側を前後に揺動させることで、上下のヒンジピンを軸心とする揺動軸のまわりに遊技盤３０を回動させて収容枠２１に容易に開閉することができる。
【００３５】
これにより、遊技盤３０が収容枠２１に後方に横開き開閉および着脱可能に収容され、比較的重量の遊技盤であっても収容枠２１の後方から容易に着脱させることができる。また、遊技盤側ヒンジ金具５２が化粧板３１から外周方向に突出しないように配設されるため、遊技盤３０を単体で取り扱う時に周辺部材に引っ掛けて当該周辺部材に損傷を与えたりたり、遊技盤ヒンジ金具５２を変形させてしまうおそれを低減することができる。なお遊技盤３０を揺動閉止させ収容枠２１に収容させた状態では、化粧板３１が収容枠２１の左右の枠壁に挟まれて左右方向に作用する外力に抗するとともに、左右方向に配向されたヒンジ溝５２ｃとヒンジピン５１ｃとの係合によってヒンジ溝５２ｃと直交する前後方向に作用する外力に対しても抗力が高い構成になっている。
【００３６】
以上では、遊技盤側ヒンジ金具５２のヒンジプレート部５２ｂに、化粧板３１の盤面と平行な左右方向にヒンジ溝５２ｃを形成した例を示したが、図９および図１０に示すように、ヒンジプレート部５２ｂに化粧板の盤面と直交する前後方向（あるいはこれらの中間的な斜め方向）にヒンジ溝を形成した遊技盤側ヒンジ金具５２′を用いて遊技盤ヒンジ機構を構成してもよい。
【００３７】
すなわち、この遊技盤ヒンジ機構５０′では、ヒンジ溝５２ｃ′がヒンジプレート部５２ｂの後方から前方に延びる後端開放のＵ字溝状に形成されている。ヒンジプレート部５２ｂにおけるヒンジ溝５２ｃの形成位置は、ヒンジプレート部５２ｂの左端部からヒンジ溝５２ｃ′の中心までの距離が、収容枠２１における前方枠部の支持面からヒンジピン５１ｃの軸心までの距離よりも幾分小さめに設定され、溝幅は後端の開口部でヒンジピン５１ｃの直径よりも幾分大きく前端の軸受部でヒンジピン５１ｃの外径と同一半径の円弧状に形成されている。また、前述したように、下側の収容枠側ヒンジ金具は収容枠２１の支持面に沿って配設され、下側の遊技盤側ヒンジ金具は化粧板３１の下面に沿って配設されている。
【００３８】
このため、収容枠側ヒンジ金具５１と遊技盤側ヒンジ金具５２′とを係脱させる際には、収容枠２１に遊技盤３０をほぼ直交させた配設姿勢として、ヒンジプレート部を収容枠２１の支持面に載置して荷重を支持させ、化粧板３１の側面を収容枠２１の前方枠部に当接させた状態で、遊技盤３０をそのまま左方向に水平にスライド移動させることでヒンジピン５１ｃにヒンジ溝５２を係合させることができる。このため、遊技盤３０の荷重を支持してヒンジピンとピン孔との上下位置合わせを行うような微妙な作業を行う必要がなく、かつヒンジピン５１ｃに対するヒンジ溝５２ｃ′の位置合わせを行う必要もないため、容易に遊技盤３０を装着することができる。
【００３９】
そして、ヒンジピン５１ｃにヒンジ溝５２ｃ′を係合させた後は、遊技盤３０の右辺側を前方に押圧して揺動させることで、ヒンジピン５１ｃとヒンジ溝５２ｃ′との係合状態を確保しつつ上下のヒンジピン５１ｃ，５１ｃを軸とする揺動軸のまわりに遊技盤３０を回動させて収容枠２１に開閉することができる。これにより、遊技盤３０が収容枠２１に後方に横開き開閉および着脱可能に収容され、比較的重量の遊技盤であっても収容枠２１の後方から容易に着脱させることができる。
【００４０】
また、本構成の遊技盤ヒンジ機構では、ヒンジピン５１ｃにヒンジ溝５２ｃ′を係脱させる際の遊技盤３０の角度姿勢に一定の制限（例えば図示した溝形態では収容枠２１に対して遊技盤３０をほぼ直交させた角度姿勢）が生じる一方、一旦ヒンジピン５１ｃにヒンジ溝５２ｃ′を係合させて閉止方向に揺動させると、以降ヒンジピン５１ｃとヒンジ溝５２ｃ′との係合が外れることがない。このため着脱角度位置〜閉止角度位置の間で遊技盤３０を支えることなく自由に揺動開閉し、任意の開放角度位置で保持させることができる。また、遊技盤３０を収容枠２１に閉止させた状態では、前後方向に配向されたヒンジ溝５２ｃ′とヒンジピン５１ｃとの係合によって左右方向に作用する外力に対抗し、またヒンジ溝前端の軸受部とヒンジピン５１ｃとの係合により遊技盤３０の前方から作用する外力に対して抗力が高い構成になっている。
【００４１】
なお、以上では、収容枠側ヒンジ金具５１にヒンジピンを設け、遊技盤側ヒンジ金具５２にヒンジ溝を形成した例を示したが、ヒンジピンとヒンジ溝の配設位置は逆であってもよい。例えば、遊技盤側ヒンジ金具５２に上下内向きに突出するヒンジピンを設けてプレート収容部３２ｂ内に収容させる一方、収容枠側ヒンジ金具５１にヒンジピンと係脱可能なヒンジ溝を形成し、遊技盤側ヒンジ金具５２のヒンジプレート部５２ｂと化粧板３１との間のプレート収容部３２ｂに収容枠側ヒンジ金具のヒンジプレート部５１ｂを進入させて遊技盤側のヒンジピンを収容枠側のヒンジ溝に係合させるように構成することもできる。このような構成によれば、遊技盤側ヒンジ金具が遊技盤の外周方向に突出することがなく、またヒンジプレート部５２ｂに溝を有しないことに加えてヒンジピンがプレート収容部３２ｂ内に配設されるため、外力に対してさらに損傷を受けにくい遊技盤ヒンジ機構を構成することができる。
【００４２】
次に、収容枠２１における遊技盤ヒンジ機構５０（または５０′以下同じ）と対向する右側縁の上下中央部には、上記のようにヒンジ係合され収容枠２１に閉止された遊技盤３０を後方に付勢する開放補助部材５５が付設され、遊技盤３０の着脱をさらに容易に行えるようになっている（図３を参照）。図１１に開放補助部材５５の取付部近傍の斜視図を、図１２に遊技盤３０を開閉する際の開放補助部材５５の作用を示す平断面図を、図１３に開放補助部材５５の取付部近傍の背面図を示す。
【００４３】
開放補助部材５５は、上下所定間隔をおいてネジ挿通孔が穿設された矩形フランジ状の固定部５５ａ、固定部５５ａの左側縁が直角に折り曲げられて前方に延びる第１側辺部５５ｂ、第１側辺部５５ｂの前端側が前方に凸の半円弧状に折り折り返されたアーチ部５５ｃ、アーチ部５５ｃと繋がって第１側辺部と平行に後方に延びる第２側辺部５５ｄ、第２側辺部の後部が第１側辺部と反対側の斜め後方に折り曲げられた付勢片部５５ｅなどからなり、例えば板厚０．５〜１ｍｍ程度のステンレス鋼板を打ち抜きおよびプレス成型して図示形状に成形して形成される。
【００４４】
収容枠２１には、右側方の側枠部が開放補助部材５５の高さ寸法に合わせて切りか欠かれ固定部５５ａを取着する固定支持部２１ａが形成され、その前方にネジを受容するネジボスが上下所定間隔をおいて形成されるとともに、側枠部の内側の壁面が開放補助部材５５の板厚および第１側辺部５５ｂの形状に合わせてザグリ成型され第１側辺受容部２１ｂが設けられている。また化粧板３１の前面を支持する前方枠部には、付勢片部５５ｅを収容枠２１の内側に突出させる切り欠き部２１ｅが形成されている。
【００４５】
開放補助部材５５は、固定部５５ａを固定支持部２１ａに支持させ、固定部に形成されたネジ挿通孔にネジ５９を通してネジボスに螺合締結することで、側枠部の設定位置に固定される。開放補助部材５５がネジ固定されると、第１側辺部５５ｂが側枠部の内側にザグリ成型された第１側辺受容部２１ｂに収容されて側枠部の壁面から内側に突出することなく配設され、アーチ部５５ｃおよび第２側辺部５５ｄが収容枠２１の側枠部と前方枠部との間の溝部に収容され、付勢片部５５ｅが切り欠き部２１ｅから収容枠２１の内側に斜め後方に突出して、その先端側が前後に揺動変位可能に配設される。
【００４６】
ここで、第１側辺部５５ｂおよび第２側辺部５５ｄの外面間隔は、収容枠２１における側枠部と前方枠部との間の溝幅よりも小さく設定されており、付勢片部５５ｅが前方に押圧されたときに、第１側辺部５５ｂから付勢辺部５５ｅの先端に至る各部が弾性変形して弾性力を蓄積する。また、このように第１辺部５５ｂと押圧辺部５５ｅとの間にアーチ部５５ｃを設けることにより、各構成部材の位置制度や形状精度のばらつきの影響を受けにくく、かつ広い範囲に弾性力を蓄積させることで安定した付勢力を発生させることができる。なお、付勢片部５５ｅの先端部は前方に向けて緩いＲ状に形成されており、化粧板３１の前面と滑らかに係合し得るようになっている。
【００４７】
このため、遊技盤ヒンジ機構５０に支持させた遊技盤３０を閉止方向に揺動させると、化粧板３１の前面が前方枠部の支持面と平行になる直前の相対角度位置で、化粧板３１の前面が枠内に斜め後方に突出する付勢片部５５ｅの先端部と滑らかに係合する（図１２中の二点鎖線を参照）。この接触状態から化粧板３１の後面を前方に押圧して遊技盤３０をさらに閉止方向に揺動させると、開放補助部材５５の第１側辺部５５ｂ〜付勢片部５５ｅの先端に至る各部が弾性変形して付勢片部５５ｅの先端側が前方に揺動変位し、化粧板３１の前面が前方枠部に当接する閉鎖角度位置では、付勢片部５５ｅが前方枠部に形成された切り欠き部２１ｅに収容されて前方枠部と化粧板３１との間に挟持されるように配設される（図１２中の実線を参照）。
【００４８】
そして、このように開放補助部材５５を弾性変形させた状態で、収容枠２１の周辺各部に設けられた閉鎖クランプ２３を回動操作し、クランプレバー２３ａを化粧板３１の背面に係合させることで、遊技盤３０が収容枠２１に収容された閉鎖姿勢で収容保持される。
【００４９】
閉鎖クランプ２３は、化粧板３１と係合する前面側に半球状の突起部をエンボス成型したクランプレバー２３ａ、前枠２０に後方に突出して植設されクランプレバーを鉛直面内に回動自在に支持する支軸２３ｂ、支軸２３ｂに支持されたクランプレバー２３ａを前方に付勢するコイルバネ２３ｃ、支軸後端に螺着されてコイルバネ２３ｃを圧縮保持させる袋ナット２３ｄなどにより構成される。
【００５０】
この閉鎖クランプ２３では、レバー側部に曲げ起こされた指掛け部を利用してクランプレバー２３ａを回動操作することにより、クランプレバー２３ａを化粧板３１の後面に係脱させ、コイルバネ２３ｃの弾性を利用して化粧板３１の後面を弾性的に押圧し、化粧板３１の板厚のばらつきに拘わらず遊技盤３０の固定を行えるようになっている。本実施例ではこのような閉鎖クランプ２３を、遊技盤ヒンジ機構５０が設けられた左側縁側に１箇所、開放補助機構５５が設けられた右側縁側の上下に２箇所設け、さらに収容枠２１の下部中央にコイルバネを有しない形態の閉鎖クランプ２３′を１箇所設けた例を示している。
【００５１】
一方、上記のように収容枠２１に閉鎖姿勢で収容保持された遊技盤３０の閉鎖クランプ２３を解放方向に回動操作して閉止を解除し、化粧板３１を前方に押圧する押圧力を解放すると、開放補助部材５５の各部に蓄えられていた弾性力により開放補助部材５５が弾性変形前の形状に自己復帰し、付勢片部５５ｅの先端部が化粧板３１の前面を後方に押圧して遊技盤３０を開放方向に揺動させる。これにより、化粧板３１の右辺側が収容枠２１から浮き上がり、右側面に指掛け可能に配設される。このため、作業者は浮き上がった化粧板３１の右側面に指を掛けて容易に遊技盤３０を揺動開放させることができ、遊技盤３０を適宜な開放角度位置に開放させて脱着作業容易な部位を把持し遊技盤３０を取り外すことができる。
【００５２】
なお、実施例では、開放補助部材５５を収容枠２１の右側縁中央部に一箇所設けた例を示したが、遊技盤ヒンジ機構５０の揺動軸から離れた位置に配設するものであればよく、例えば右側縁の上方もしくは下方に一箇所設け、あるいは上下に複数箇所設け、または上下の枠部に設ける構成としてもよい。
【００５３】
また、閉鎖クランプは、図１４および図１５に示すような閉鎖クランプ２４を用いることもできる。この閉鎖クランプ２４は、先端側が円弧状に曲げ成形され基端側に円筒状のカラーがカシメ固着されたクランププレート２４ａと、クランププレート２４ａのカラーを通して前枠側のネジブッシュに螺合されるボルト２４ｄを主体として構成される。この閉鎖クランプ２４では、ボルト２４ｄを緩めてクランププレート２４ａを回動させ、化粧板３１の背面に係脱させてボルト２４ｄを締め込むことにより、クランププレート２４ａの弾性を利用して化粧板３１の背面を弾性的に押圧し、板厚のばらつき等に拘わらず遊技盤３０の固定を行えるようになっている。また、本構成の閉鎖クランプ２４によれば、機構構成を簡明化してローコストな閉鎖機構を提供することができる。
【００５４】
さて、以上では遊技盤３０の着脱について説明してきたが、パチンコ機ＰＭには遊技盤３０の着脱作業をより容易に行えるように、裏セット盤４０を開放姿勢に保持させる開放保持機構が設けられている。この開放保持機構は、前枠２０および裏セット盤４０の互いの右側縁側に設けられて裏セット盤４０を前枠２の後方に横開き開閉および着脱可能に支持する裏セット盤ヒンジ機構６０と、裏セット盤４０が前枠２０の後方に開放された状態で、裏セット盤を開放姿勢に係止保持する係合連結構造７０とを有して構成される。以下では、まず図１６〜図２１の各図を参照して裏セット盤ヒンジ機構６０について説明し、続いて図２２〜図２７を参照して係合連結構造７０について説明する。
【００５５】
ここで、予め図１６〜図２１の各図について概要説明すると、図１６は裏セット盤ヒンジ機構６０（６０Ｕ，６０Ｌ）を斜め後方から見た斜視図、図１７は裏セット盤４０を開放した状態における上方の裏セット盤ヒンジ機構６０Ｕの背面図、図１８は裏セット盤４０を閉鎖した状態における裏セット盤ヒンジ機構６０の背面図、図１９は裏セット盤４０を閉鎖した状態における裏セット盤ヒンジ機構６０の平面図、図２０は裏セット盤４０を開放して前枠方向にスライドさせた状態における裏セット盤ヒンジ機構６０の平面図、図２１（ａ）（ｂ）はそれぞれ図１９および図２０における裏セット盤ヒンジ機構６０の位置状態を拡大して示す平面図である。
【００５６】
裏セット盤ヒンジ機構６０は上下一対の上下のヒンジ機構６０Ｕ，６０Ｌからなり、各ヒンジ機構６０Ｕ，６０Ｌは、それぞれ前枠２０の後面側にネジ固定された前枠側ヒンジ金具６１，６１と、裏セット盤３０の前面側にネジ固定された裏セット盤側ヒンジ金具６２，６２とからなり、全体としては、前枠側ヒンジ金具６１と裏セット盤側ヒンジ金具６２との嵌合によるヒンジ機構である。
【００５７】
前枠側ヒンジ金具６１は、上下に延びる帯板状の固定フランジ部６１ａと、この固定フランジ部の下部が直角に折り曲げられて後方に水平に延びるヒンジプレート部６１ｂとを有し、ヒンジプレート部６１ｂには上方に突出して先端テーパ状の軸ピン６１ｃがカシメ固着されている。固定フランジ部６１ａには、前枠２０のヒンジ金具取付部に後方に突出成形された位置決め突起６３ｄと嵌脱可能な位置決めピン孔６１ｄが形成されるとともに、その上下にサラ穴形態のネジ挿通孔が形成されている。
【００５８】
前枠側ヒンジ金具６１は、例えば板厚２．３ｍｍ程度の冷間圧延鋼板をプレス成型等により図示する所定形状に打ち抜きおよび曲げ成形し、軸ピン６１ｃをヒンジプレート部６１ｂにカシメ固着した後、ユニクロメッキ等の所要の表面処理を施して形成される。そして、固定フランジ部６１ａに形成された位置決めピン穴６１ｄをヒンジ金具取付部の位置決め突起６３ｄに嵌合させて位置決めし、上下のネジ挿通孔にサラ小ネジ６８を挿通させて前枠側のネジ受容孔に締め込むことにより、前枠２０の上下の設定基準位置に固定される。
【００５９】
一方、裏セット盤側ヒンジ金具６２は、上下に延びる帯板状の固定フランジ部６２ａと、この固定フランジ部６２ａの下部が直角に折り曲げられて前方に水平に延びるヒンジプレート部６２ｂとを有し、ヒンジプレート部６２ｂには軸ピン６１ｃの軸外径よりもわずかに大きめの溝幅で固定フランジ部６２ａの支持面と平行に延びる長孔状のピン係合溝６２ｃが形成されている。裏セット盤３０のヒンジ金具取付部には、固定フランジ部６２ａの外周を取り囲むように係合して裏セット盤側ヒンジ金具６２を位置決めする位置決めリブ６４ａおよびネジを受容する円筒状のネジボス６４ｂが形成される一方、固定フランジ部６２ａにはこのように位置決めされたときに裏セット盤側のネジボスと位置整合するサラ穴形態のネジ挿通孔が形成されている。
【００６０】
裏セット盤側ヒンジ金具６２は、前枠側ヒンジ金具６１と同様に、例えば板厚２．３ｍｍ程度の冷間圧延鋼板をプレス成型等により図示する所定形状に打ち抜きおよび曲げ成形した後、ユニクロメッキ等の所要の表面処理を施して形成される。そして、固定フランジ部６２ａを位置決めリブ６４ａに係合させて位置決めしネジ挿通孔にサラ小ネジ６８をねじ込んで締め込むことにより、裏セット盤３０の上下の設定位置に固定される。
【００６１】
そして上下の裏セット盤側ヒンジ金具６２，６２のピン係合溝６２ｃ，６２ｃを各々対応する前枠側ヒンジ金具６１，６１の軸ピン６１ｃ，６１ｃに係合させることで、上下のヒンジ金具が相互に係合連結され、上下のヒンジ機構６０Ｕ，６０Ｌが形成される。ここで、図５に示すように、上下の裏セット盤側ヒンジ金具６２，６２の取着間隔は、上下の前枠側ヒンジ金具６１，６１の取着間隔よりも幾分狭く（下側の裏セット盤側ヒンジ金具６２の取着位置が幾分上方に）設定されている。このため、上下のヒンジ金具を相互連結させる際に、まず上方のヒンジ機構６０Ｕに注目して軸ピン６１ｃにピン係合溝６２ｃを係合させ、次いで下方のヒンジ機構６０Ｌに注目して軸ピン６１ｃにピン係合溝６２ｃを係合させることで、１箇所ずつ容易に係合させることができるようになっている。
【００６２】
こうして、上下の前枠側ヒンジ金具６１，６１と裏セット盤側ヒンジ金具６２，６２とが係合連結されると、裏セット盤４０はこれら上下のヒンジ機構６０Ｕ，６０Ｌにより前枠２０の後面側に横開き開閉可能に支持される。また一方で、このヒンジ機構６０Ｕ，６０Ｌでは、軸ピン６１ｃと係合するピン係合溝６２ｃが長孔状に形成されており、裏セット盤４０はピン係合溝６２ｃの延びる方向にこの溝の有効長さ分だけ移動させることができる。
【００６３】
このため、図１９および図２１（ａ）に示す軸ピン６１ｃとピン係合溝６２ｃとの係合位置（以下、便宜的に「溝先端位置」という）で、裏セット盤４０を任意の開放角度に開閉しまた閉鎖保持させることができるほか、裏セット盤４０を開放させた状態で、裏セット盤４０をヒンジ金具側に押圧して裏セット盤４０を前枠２０の前面方向にスライド移動させ、軸ピン６１ｃに対するピン係合溝６２ｃの係合位置を図２０および図２１（ｂ）に示す係合位置（同様に「溝基端位置」という）に変化させて、裏セット盤４０の揺動半径を低減させた状態で裏セット盤４０を開閉させることもできる。
【００６４】
一方、外枠１０における反ヒンジ側の枠板、すなわち正面右側の右枠板１３には、このように揺動半径が低減された裏セット盤４０の右枠杆４７の揺動軌跡に合わせて、裏セット盤４０を受容するための受容切り欠き部１３ｂが形成されている。
【００６５】
このため、前枠２０を外枠１０の前方に開放し、裏セット盤４０を前枠２０の後方に開いて上下ヒンジ金具の係合位置を溝基端位置に変化させ、裏セット盤４０を外枠１０に向けて開放すると、裏セット盤４０が右枠板１３に当接することなく枠内に進入し、従来、前枠２０を開放させた状態では収容困難とされた裏セット盤４０の大部分を外枠１０の枠内に収容させることができる。
【００６６】
さて、このように開放される裏セット盤４０および外枠１０の反ヒンジ側に、裏セット盤４０が開放された状態で裏セット盤４０を開放姿勢に係止保持する係合連結構造７０が設けられている。この係合連結構造７０は、上下方向にかみ合い係合可能な外枠側の係止部材７１と裏セット盤側の被係止部材７２とを主体として構成される。以下、図２２〜図２５を参照して係合連結構造７０について説明する。
【００６７】
なお、図２２は係合連結構造７０を斜め後方から見た斜視図、図２３は裏セット盤４０を開放保持状態にしたときの球貯留タンク３１の高さ位置から見た係合連結構造７０の平面図、図２４は裏セット盤４０を開放保持状態にしたときの係合連結構造７０の高さ位置の平面断面図、図２５は係合連結構造７０の係合過程を示す側面図である。
【００６８】
この係合連結構造７０における係止部材７１は、図２２および図２４に示すように、ネジ部７１ａ、円盤状のフランジ部７１ｂ、およびネジ部７１ａとフランジ部７１ｂとの間を繋ぐ係合軸部７１ｃを有して、全体として平頭ないしトラス頭の木ネジ状をなし、金属線材を旋削ないし転造して形成される。係止部材７１が取り付けられる受容切り欠き部１３ｂの所定位置には、ネジ部７１ａを導入するための下穴が予め穿設されている。
【００６９】
係止部材７１は、フランジ部７１ｂをチャックして回動させる自動打ち込み機により上記下穴にねじ込まれ、フランジ部７１ｂの座面と受容切り欠き部１３ｂの表面との間に係合軸部７１ｃを視認可能な一定間隔（例えば被係止部材７２の板厚の２〜３倍程度の間隔）をおいた打ち込み高さに固定される。なお、フランジ部７１ｂに六角穴や十字スリ割り等の工具係合部を設けて手動で打ち込むように構成してもよい。
【００７０】
被係止部材７２は、サラ穴形態のネジ挿通孔を有して矩形平板状のベース部７２ａ、ベース部７２ａの右側縁が直角に折り曲げられて後方に突出するフックプレート部７２ｂ、フックプレート部７２ｂに下方に開いて形成された係止溝７２ｃ、フックプレート部７２ｂの後端部と係止溝７２ｃとの間に下向き斜面状に形成されたガイド縁面７２ｄなどからなり、例えば板厚１〜１．６ｍｍ程度の冷間圧延鋼板をプレス成型等により図示する形状に打ち抜きおよび曲げ成形し、ユニクロメッキ等の所要の表面処理を施して形成される。
【００７１】
一方、係止部材７１の取着位置と整合する裏セット盤４０の右枠杆４７の後面側には、被係止部材７２の板厚およびベース部７２ａの形状に合わせたザグリ部が形成されるとともに、その後方にネジを受容するネジボス４７ａが一体成型されている。被係止部材７２は、裏セット盤４０の右枠杆４７のザグリ部にベース部７２ａを嵌合させて位置決めし、上下のネジ挿通孔にサラ小ネジ７８を通してネジボス４７ａにねじ込むことで右枠杆４７に固定される。
【００７２】
ここで、係止溝７２ｃの溝幅は、係止部材７１における係合軸部７１ｃの軸径と同一若しくはこれよりわずかに大きめに設定され、また係止溝７２ｃの上端の高さ位置は、係合軸部７１ｃが係止溝７２ｃの上端部と係合したときに、この係合連結構造７０と他側縁側の裏セット盤ヒンジ機構６０とで、裏セット盤４０が左右水平に支持される高さ位置に設定されている。
【００７３】
また前述したように、右枠板１３に形成された受容切り欠き部１３ｂは、上下のヒンジ金具の係合位置を溝基端位置に変位させた状態で、裏セット盤４０を外枠１０方向に開放したときの裏セット盤４０の右枠杆４７の揺動軌跡に合わせて切り欠かれており、上記のように裏セット盤４０を外枠１０の内方に揺動させたときに、被係止部材７２のフックプレート部７２ｂが切り受容欠き部１３ｂの内面に沿うように枠内に進入する。一方、裏セット盤４０を開放した状態では、裏セット盤４０は上下のヒンジ機構６０Ｕ，６０Ｌにより片持ち支持された状態にあり、裏セット盤４０の荷重に伴うヒンジ金具の撓みにより右枠杆４７側がわずかに下傾した状態でフックプレート部７２ｂが枠内に進入する。
【００７４】
このため、裏セット盤４０を外枠１０の内方に揺動させると、被係止部材７２は、図２５（ａ）に示すように、まずフックプレート部の下向きのガイド縁面７２ｄが係合軸部７１ｃの外周面に当接する。そこで、裏セット盤４０を外枠１０の枠内に向けて押圧すると、ガイド縁面７２ｄが係合軸部７１ｃに乗り上げるように係合して滑り、裏セット盤４０の右枠杆側をわずかに上動させながら外枠内に移動する。そして、ガイド縁面７２ｄの端部が係合軸部７１ｃの上端を越えると、今度は係止溝７２ｃの溝面が係合軸部７１ｃと係合し、裏セット盤４０が引き込まれるように揺動して係合軸部７１ｃと係止溝７２ｃの上端部とがかみ合い係合する。
【００７５】
こうして係止部材７１と被係止部材７２とが上下にかみ合い係合すると、係合軸部７１ｃと係止溝７２ｃとの係合によって裏セット盤４０が前後方向に係止され、またフックプレート部７２ｂがフランジ部７１ｂと受容切り欠き部１３ｂとの間に挟持されて左右方向に係止される。これにより、裏セット盤４０は、この裏セット盤４０の大部分が外枠１０の枠内に収容された状態で前後および左右の両方向に移動が規制され、図４に示す開放姿勢に係止保持される。
【００７６】
このため、例えば前述した遊技盤３０の着脱作業の他、遊技盤３０における各種入賞具の調整や入賞検出センサの交換作業などの保守作業、あるいは裏セット盤４０における遊技済み球排出通路４６の清掃作業など裏セット盤前面側の保守作業を、裏セット盤４０が閉鎖方向に揺動してこない安定した開放姿勢で行うことができる。また、本構成の開放保持機構では、裏セット盤の大部分が外枠１０の枠内に収容されて開放保持されるため、遊技盤３０の後面と裏セット盤４０の前面との間に広い作業スペースを確保することができ、上記各作業を余裕を持って容易に行うことができる。
【００７７】
一方、作業終了後に裏セット盤４０の開放姿勢を解除するには、裏セット盤４０の右側部分を軽く持ち上げて被係止部材７２を上動させ、係止溝７２ｃと係合軸部７１ｃとのかみ合い係合を解除させて、裏セット盤４０を手前に引き出せばよい。そして適当な開放角度位置で上下のヒンジ金具を先端側係合位置に変位させて揺動閉止させ、あとはロックレバー２５を回動してロック操作することで裏セット盤４０が閉鎖姿勢に保持される。
【００７８】
従って、以上説明したような開放保持機構を備えたパチンコ機ＰＭでは、裏セット盤４０を外枠１０の内方に押圧することで裏セット盤４０を開放保持させることができ、また、開放姿勢の裏セット盤４０を軽く持ち上げて前方に引き出すことで開放保持状態を解除することができる。このため、裏セット盤４０を開放保持および解除させるために裏セット盤４０と外枠１０との隙間に指を差し入れたりレバー操作したり等の煩雑な操作を行う必要がなく、作業性が良好な開放保持機構を提供することができる。
【００７９】
以上では、上下方向にかみ合い係合可能な外枠側の係止部材と裏セット盤側の被係止部材の構成例として、外枠１０側の係止部材７１に係合軸部７１ｃを設け、裏セット盤４０側の被係止部材７２に係止溝７２ｃを設けて、係止溝７２ｃが移動して係合軸部７１ｃにかみ合い係合する形態を例示したが、これらの軸部と溝部の配設位置関係を逆に構成してもよい。図２６および図２７には、このように軸部と溝部の配設位置を逆にした外枠側の係止部材１７１と裏セット盤４０側の被係止部材１７２とからなる係合連結構造１７０を示しており、以下、両図を参照しながらこの係合連結構造１７０について簡潔に説明する。なお、図２６は図２２に対応して係合連結構造１７０を斜め後方から見た斜視図、図２７は図２５に対応して係合連結構造１７０の係合過程を示す側面図である。また係合連結構造１７０以外の各部の構成は既述したパチンコ機と同様であるため重複説明は省略する。
【００８０】
係止部材１７１は、平面視クランク状に折り曲げられた板状体からなり、右枠板の受容切り欠き部１３ｂにネジ固定される固定脚部１７１ａ、固定脚部１７１ａと平行にオフセット成形されて前方に延びるフックプレート部１７１ｂ、フックプレート部１７１ｂに上方に開いて形成された係止溝１７１ｃ、フックプレート部１７１ｂの前端部と係止溝１７１ｃとの間に上向き斜面状に形成されたガイド縁面１７１ｄなどからなり、例えば板厚１〜１．６ｍｍ程度の冷間圧延鋼板をプレス成型等により図示する形状に打ち抜きおよび曲げ成形し、ユニクロメッキ等の所要の表面処理を施して形成される。
【００８１】
係止部材１７１は、固定脚部１７１ａに形成されたネジ挿通孔にネジ１７７を挿通してねじ込むことで受容切り欠き部１３ｂの所定位置にネジ固定され、フックプレート部１７１ｂと受容切り欠き部１３ｂの表面との間に、被係止部材１７２の支軸プレート部１７２ｂを受容可能な間隔（固定脚部とフックプレート部とのオフセット寸法であり、例えば被係止部材１７２の板厚の２〜４倍程度の間隔とされる）が形成される。
【００８２】
被係止部材１７２は、サラ穴形態のネジ挿通孔を有して矩形平板状のベース部１７２ａ、ベース部１７２ａの右側縁が直角に折り曲げられて後方に突出する支軸プレート部１７２ｂ、支軸プレート部１７２ｂに固着されて水平内向きに突出する係合軸部１７２ｃなどからなり、係止部材１７１と同様の金属材を加工成形して係合軸部をカシメ固着し所要の表面処理を施して形成される。裏セット盤の右枠杆４７には、既述した被係止部材７２の取付部と同様にザグリ部およびネジボスが一体成型されており、被係止部材１７２は右枠杆４７に位置決めされてサラ小ネジ７８によりネジ固定される。
【００８３】
ここで、係止溝１７１ｃと係合軸部１７２ｃとの関係では、係止溝１７１ｃの溝幅が係合軸部１７２ｃの軸径と同一若しくはわずかに大きめに設定され、係止溝１７１ｃの下端位置および係合軸部１７２ｃの高さ位置は、係合軸部１７２ｃが係止溝１７１ｃの下端部に係合したときに、係合連結構造１７０と他側縁側の裏セット盤ヒンジ機構６０とで、裏セット盤４０が左右水平に支持される高さ位置に設定されている。
【００８４】
また前述したように、右枠板１３に形成された受容切り欠き部１３ｂは、上下のヒンジ金具を溝基端位置に係合させて裏セット盤４０を揺動させたときの右枠杆４７の揺動軌跡に合わせて切り欠かれており、裏セット盤４０を外枠１０の内方に揺動させたときに、被係止部材１７２の支軸プレート部１７２ｂが受容切り欠き部１３ｂの内面に沿うように枠内に進入する。また、上下のヒンジ機構６０Ｕ，６０Ｌに片持ち支持された裏セット盤４０は、その荷重に伴うヒンジ金具の撓みにより右枠杆４７側がわずかに下傾した状態で支軸プレート部１７２ｂが枠内に進入する。
【００８５】
このため、裏セット盤４０を外枠１０の内方に揺動させると、被係止部材１７２は、図２７（ａ）に示すように、まず支軸プレート部１７２ｂが受容切り欠き部１３ｂの表面とフックプレート部１７１ｂとの間に進入し、支軸プレート部に固着された係合軸部１７２ｃが上向きのガイド縁面１７１ｄに当接する。そこで、裏セット盤４０を外枠１０の枠内に向けて押圧すると、係合軸部１７２ｃがガイド縁面１７１ｄに乗り上げるように係合して滑り、裏セット盤４０の右枠杆側をわずかに上動させながら外枠内に移動する。そして、係合軸部１７２ｃがガイド縁面１７１ｄの上端を越えると、今度は係合軸部１７２ｃが係止溝１７１ｃに落入するように係合し、裏セット盤４０が引き込まれるように揺動して係止溝１７１ｃの下端部に係合軸部１７２ｃがかみ合い係合する。
【００８６】
こうして係止部材１７１と被係止部材１７２とが上下にかみ合い係合すると、係止溝１７１ｃと係合軸部１７２ｃとの係合によって裏セット盤４０が前後方向に係止され、また支軸プレート部１７２ｂがフックプレート部１７１ｂと受容切り欠き部１３ｂとの間に挟持されて左右方向に係止される。これにより、裏セット盤４０は、この裏セット盤４０の大部分が外枠１０の枠内に収容された状態で前後および左右の両方向に移動が規制され、図４に示した開放姿勢に係止保持される。
【００８７】
このため、遊技盤３０の着脱作業や保守作業、裏セット盤４０の前面側の保守作業を、裏セット盤４０が閉鎖方向に揺動してこない安定した開放姿勢で行うことができる。また、裏セット盤４０の大部分が外枠１０の枠内に収容されて開放保持されるため、遊技盤３０の後面と裏セット盤４０の前面との間に広い作業スペースを確保することができ、上記のような各作業を余裕を持って容易に行うことができる。
【００８８】
一方、保守作業を終了して裏セット盤４０の開放姿勢を解除するには、裏セット盤４０の右側部分を軽く持ち上げて被係止部材１７２を上動させ、係合軸部１７２ｃと係止溝１７１ｃとのかみ合い係合を解除させて、裏セット盤４０を手前に引き出せばよい。そして適当な開放角度位置で上下のヒンジ金具を先端側係合位置に変位させて揺動閉止させ、あとはロックレバー２５を回動してロック操作することで裏セット盤４０が閉鎖姿勢に保持される。
【００８９】
従って、以上のような開放保持機構を備えたパチンコ機ＰＭでは、裏セット盤４０を外枠１０の内方に押圧することで裏セット盤４０を開放保持させることができ、また、開放姿勢の裏セット盤４０を軽く持ち上げて前方に引き出すことで開放保持状態を解除することができる。このため、裏セット盤４０を開放保持および解除させるために裏セット盤４０と外枠１０との隙間に指を差し入れたりレバー操作したり等の煩雑な操作を行う必要がなく、作業性が良好な開放保持機構を提供することができる。
【００９０】
なお、以上では、係合連結構造を外枠１０および裏セット盤４０の上下中間部または上部に設けた例を示したが、配設する高さ位置は任意であり、例えば外枠１０および裏セット盤４０の下部に設けてもよい。また実施例では被係止部材が係止部材に乗り上げるように移動して上下にかみ合う形態を例示したが、上下のかみ合い形態は上下逆方向であってもよく、例えばヒンジ金具の弾性や裏セット盤の撓みを利用して被係止部材が係止部材の下側に沈み込んで係合するような形態であってもよい。さらに、遊技盤ヒンジ機構や閉鎖クランプ、係合連結構造などについて複数の実施形態を実施例ごとに説明したが、これらは適宜組み合わせて実施することができる。
【００９１】
【発明の効果】
以上説明したように、本発明では、固定保持用の外枠に一側縁側に設けられた前枠ヒンジ機構を介して前方に横開き開閉可能に組み付けられた前枠と、前枠に設けられた収容枠に前枠の後方から収容保持される遊技盤と、前枠の後方に組み付けられ遊技提供時に遊技盤の後面側を覆って閉止保持される裏セット盤とを備えた遊技機において、裏セット盤は前枠ヒンジ機構と同じ一側縁側の前枠および裏セット盤に設けられた裏セット盤ヒンジ機構により前枠の後方に横開き開閉および開放された状態で前枠方向にスライド移動が可能に組み付けられ、外枠は裏セット盤が前枠の後方に開放され前枠方向にスライド移動された状態で裏セット盤がさらに外枠方向に開放されたときに裏セット盤の後面側を収容可能に形成される。そして、裏セット盤および外枠には裏セット盤の後面側が外枠の枠内に収容された開放姿勢で裏セット盤を仮止めする係合連結構造が設けられて裏セット盤の開放保持機構が構成される。
【００９２】
このような構成の開放保持機構では、裏セット盤を開放させて前枠方向にスライド移動させることで揺動端側の回動半径をスライド移動量に応じて減少させることができ、外枠はスライド移動によって回動半径が削減された裏セット盤の後面と当接することなく受容して、裏セット盤の後面側を枠内に収容可能に形成される。そして、後面側が外枠の枠内に収容された裏セット盤は、大きく開かれた開放姿勢で係合連結構造により仮止めされる。従って、本発明に係る裏セット盤の開放保持機構によれば、裏セット盤の後面側を外枠の枠内に収容させて開放保持させることで、前枠に対する裏セット盤の開放角度を増大させて遊技盤後方の作業領域を拡大させることができ、これにより遊技盤の着脱作業や遊技盤の後面各部および裏セット盤の前面各部に対する保守作業等を容易に行うことができる。
【図面の簡単な説明】
【図１】本発明を適用した遊技機の一例として示すパチンコ機の正面図である。
【図２】上記パチンコ機の背面図である。
【図３】外枠を取り外し裏セット盤を開放した状態におけるパチンコ機の背面図である。
【図４】開放保持機構により裏セット盤を開放保持した状態のパチンコ機の平面図である。
【図５】収容枠から遊技盤を取り外した状態で示す遊技盤ヒンジ機構の斜視図である。
【図６】収容枠に遊技盤を収容させた状態の遊技盤ヒンジ機構の背面図である。
【図７】上方のヒンジ機構におけるヒンジピンとヒンジ溝との係合状態を主として示す側断面図である。
【図８】収容枠側ヒンジ金具に遊技盤側ヒンジ金具を係脱させるときの作用を主として示す平面図である。
【図９】遊技盤ヒンジ機構の他の構成例を示す斜視図である。
【図１０】上記他の構成例の遊技盤ヒンジ機構における収容枠側ヒンジ金具に遊技盤側ヒンジ金具を係脱させるときの作用を主として示す平面図である。
【図１１】開放補助部材の取付部近傍の斜視図である。
【図１２】遊技盤を開閉する際の開放補助部材の作用を示す平断面図である。
【図１３】開放補助部材の取付部近傍の背面図である。
【図１４】閉鎖クランプの他の構成例を示す斜視図である。
【図１５】上記他の構成例の閉鎖クランプの取付部近傍の平断面図である。
【図１６】裏セット盤ヒンジ機構を斜め後方から見た斜視図である。
【図１７】裏セット盤を開放した状態における上方の裏セット盤ヒンジ機構の背面図である。
【図１８】裏セット盤を閉鎖した状態における裏セット盤ヒンジ機構の背面図である。
【図１９】裏セット盤を閉鎖した状態における裏セット盤ヒンジ機構の平面図である。
【図２０】裏セット盤を開放して前枠方向にスライドさせた状態における裏セット盤ヒンジ機構の平面図である。
【図２１】図１９および図２０における裏セット盤ヒンジ機構の位置状態を拡大して示す平面図である。
【図２２】開放保持機構における係合連結構造を斜め後方から見た斜視図である。
【図２３】裏セット盤を開放保持状態にしたときの球貯留タンクの高さ位置から見た上記係合連結構造の平面図である。
【図２４】裏セット盤を開放保持状態にしたときの上記係合連結構造の高さ位置の平面断面図である。
【図２５】上記係合連結構造の係合過程を示す側面図である。
【図２６】係合連結構造の他の構成例を示す斜視図である。
【図２７】上記他の構成例の係合連結構造の係合過程を示す側面図である。
【符号の説明】
ＰＡ  遊技領域
ＰＭ  パチンコ機
３（３Ｕ，３Ｌ）  前枠ヒンジ機構
４  施錠装置
５  ガラス扉
６  上球皿
７  下球皿
８  発射ハンドル
９  遊技球発射装置
１０  外枠
１１  上枠板
１２  左枠板
１３  右枠板（１３ｂ  受容切り欠き部）
１４  下枠板
２０  前枠
２１  収容枠
（２１ａ  固定支持部、２１ｂ  第１側辺受容部、２１ｅ切り欠き部）
２３，２３′  閉鎖クランプ
（２３ａ  クランプレバー、２３ｂ  支軸、２３ｃ  コイルバネ、
２３ｄ  袋ナット）
２４  閉鎖クランプ
（２４ａ  クランププレート、  ２４ｄ  ボルト）
２５  ロックレバー
３０  遊技盤
３１  化粧板
３２  金具収容部（３２ａ  固定収容部、３２ｂ  プレート収容部）
３４  入賞具
３５  画像表示装置
３７  アウト口
４０  裏セット盤
４１  球貯留タンク
４２  タンクレール
４４  球払出装置
４５  球払出通路
４６  遊技済み球排出通路
４７  右枠杆（４７ａ  ネジボス）
５０，５０′  （５０Ｕ，５０Ｌ）  遊技盤ヒンジ機構
５１  収容枠側ヒンジ金具
（５１ａ  固定フランジ部、５１ｂ  ヒンジプレート部、５１ｃ  ヒンジピン、
５１ｄ  位置決めピン孔）
５２，５２′  遊技盤側ヒンジ金具
（５２ａ  固定フランジ部、５２ｂ  ヒンジプレート部、
５２ｃ，５２ｃ′  ヒンジ溝、５２ｒ  逃げ面）
５３ｂ  ネジボス
５３ｄ  位置決め突起
５５  開放補助部材
（５５ａ  固定部、５５ｂ  第１側辺部、５５ｃ  アーチ部、
５５ｄ  第２側辺部、５５ｅ  付勢片部）
５７  サラ小ネジ
５８  ネジ
５９  ネジ
６０（６０Ｕ，６０Ｌ）  裏セット盤ヒンジ機構
６１  前枠側ヒンジ金具
（６１ａ  固定フランジ部、６１ｂ  ヒンジプレート部、６１ｃ  軸ピン、
６１ｄ  位置決めピン孔）
６２  裏セット盤側ヒンジ金具
（６２ａ  固定フランジ部、６２ｂ  ヒンジプレート部、６２ｃ  ピン係合溝、）
６３ｄ  位置決め突起
６４ａ  位置決めリブ
６４ｂ  ネジボス
６８  サラ小ネジ
７０  係合連結構造
７１  係止部材
（７１ａ  ネジ部、７１ｂ  フランジ部、７１ｃ  係合軸部）
７２  被係止部材
（７２ａ  ベース部、７２ｂ  フックプレート部、７２ｃ  係止溝、
７２ｄ  ガイド縁面）
７８  サラ小ネジ
１７０係合連結構造
１７１  係止部材
（１７１ａ  固定脚部、１７１ｂ  フックプレート部、１７１ｃ  係止溝、
１７１ｄ  ガイド縁面）
１７２  被係止部材
（１７２ａ  ベース部、１７２ｂ  支軸プレート部、１７２ｃ  係合軸部）
１７７  ネジ
【図１】
2004357857.tif 000003
【図２】
2004357857.tif 000004
【図３】
2004357857.tif 000005
【図４】
2004357857.tif 000006
【図５】
2004357857.tif 000007
【図６】
2004357857.tif 000008
【図７】
2004357857.tif 000009
【図８】
2004357857.tif 000010
【図９】
2004357857.tif 000011
【図１０】
2004357857.tif 000012
【図１１】
2004357857.tif 000013
【図１２】
2004357857.tif 000014
【図１３】
2004357857.tif 000015
【図１４】
2004357857.tif 000016
【図１５】
2004357857.tif 000017
【図１６】
2004357857.tif 000018
【図１７】
2004357857.tif 000019
【図１８】
2004357857.tif 000020
【図１９】
2004357857.tif 000021
【図２０】
2004357857.tif 000022
【図２１】
2004357857.tif 000023
【図２２】
2004357857.tif 000024
【図２３】
2004357857.tif 000025
【図２４】
2004357857.tif 000026
【図２５】
2004357857.tif 000027
【図２６】
2004357857.tif 000028
【図２７】
2004357857.tif 000029